Podtech/llm-jp-corpus-v4-ja_patent huggingface dataset:
【手続補正書】
【提出日】平成17年12月5日(2005.12.5)
【手続補正１】
【補正対象書類名】明細書
【補正対象項目名】特許請求の範囲
【補正方法】変更
【補正の内容】
【特許請求の範囲】
【請求項１】消費者が支払い時に所有者からドキュメントを取得することを可能にする暗号方法であって、上記方法は、消費者、所有者およびドキュメント供給源を含むプロトコルの使用を含み、上記ドキュメント供給源は、上記ドキュメントを提供するため、該ドキュメントが暗号化されるところのキーを知る必要があり、該キーは第１の部分と第２の部分とからなり、上記プロトコルは、(a)上記消費者が、指定されたドキュメントを要求するステップと、(b)上記所有者が、上記ドキュメント供給源にキーの第１部分を提供するステップと、(c)上記消費者が、上記所有者に支払いをするステップと、(d)上記所有者が、上記ドキュメント供給源に、キーの第２部分を提供するステップと、(e)上記キーの第１部分が上記キーの第２部分と結合されて完全なキーを生成するステップと、を含む暗号方法。
【請求項２】上記ドキュメント供給源がプリンタを含む請求項１に記載の暗号方法。
【請求項３】第２の当事者が第２の貴重品を受け取るとき、第１の当事者が第２の当事者から第１の貴重品を取得することを可能にする暗号方法であって、上記方法は、第１の当事者、第２の当事者および第１の貴重品の供給源を含むプロトコルを使用し、上記供給源は、上記第１の貴重品を提供するためにキーを知る必要があり、上記プロトコルは、(a)上記第１の当事者が、指定された第１の貴重品を要求するステップと、(b)上記第２の当事者が、上記供給源にキーの第１部分を提供するステップと、(c)上記第１の当事者が、上記第２の当事者に上記第２の貴重品を提供するステップと、(d)上記第２の当事者は、キーの第１部分と結合して完全なキーを生成することができるキーの第２部分を上記供給源に提供するステップと、を含む、暗号方法。
【請求項４】消費者が支払い時に所有者からドキュメントを取得することを可能にする公正な交換方法であって、(a)消費者が指定されたドキュメントを要求するステップと、(b)所有者がドキュメント源にキーの第１の部分を提供するステップと、(c)消費者が所有者に支払いをするステップと、(d)所有者が、キーの第１部分と結合して、ドキュメントを印刷させる完全なキーを生成することができるキーの第２の部分をドキュメント源に提供するステップと、を含む、交換方法。
【請求項５】消費者が支払い時に所有者からドキュメントを取得することを可能にするのに使用されるプリンタであって、第１の暗号キー部分を格納するメモリと、第２の暗号キー部分を受け取る手段と、上記第１および上記第２の暗号キー部分によって規定される暗号キーに従って、プリンタへ伝送された暗号化されたドキュメントを解読する手段と、を備え、上記ドキュメントの多数のコピーをそれぞれの複数の形式で印刷するように構成されたプリンタ。
【請求項６】上記ドキュメントのただ１つのコピーを第１形式で、および上記ドキュメントの無制限の数のコピーを第２形式で印刷するように構成された、請求項５に記載のプリンタ。
【請求項７】上記形式は異なる解像度をもつ、請求項５に記載のプリンタ。
【請求項８】上記形式は、単色およびカラー画像を含む、請求項５に記載のプリンタ。
【手続補正書】
【提出日】平成18年7月3日(2006.7.3)
【手続補正１】
【補正対象書類名】明細書
【補正対象項目名】特許請求の範囲
【補正方法】変更
【補正の内容】
【特許請求の範囲】
【請求項１】  文字の表示に関する情報を記憶するメモリ（ＯＳＤＲＡＭ）を有するビデオシステムの文字表示を制御する装置であって、前記メモリは、
−表示の一般的な制御のためのデータ及び／又はパラメータを記憶する第１領域（Ｚ１，Ｚ１’）と；
−スクリーンページに属する文字の組の表示に関する制御パラメータ及びデータを各空間に記憶するよう、可変サイズのいくつかの空間（Ｂ１，Ｂ２，Ｂ３）を含む第２領域（Ｚ２）とを有しており、
前記第２領域（Ｚ２）の各空間（Ｂ１，Ｂ２，Ｂ３）は、スクリーンページの、表示される必要のある文字の次の組に対応するメモリ空間のアドレスを含むことを特徴とする装置。
【請求項２】  表示される最初の組の文字に対応するメモリ空間（Ｂ１）のアドレスがメモリの第１領域（Ｚ１）に記憶されることを特徴とする請求項１記載の装置。
【請求項３】  前記空間（Ｂ１，Ｂ２，Ｂ３）の各々が、
−少なくとも文字の組に関する制御パラメータを有する所定のフォーマットの第１部分；と
−第１部分に記憶されたパラメータによりフォーマットが決定され、文字の前記組に対応したデータを有する第２部分とを有することを特徴とする請求項１又は２記載の装置。
【請求項４】  前記空間（Ｂ１，Ｂ２，Ｂ３）の各々の第１部分が、文字の前記組に関する表示属性を更に含むことを特徴とする請求項３記載の装置。
【請求項５】  メモリ空間（Ｂ２）の第２部分にあるデータを符号化する第１フォーマットにおいて、前記データがシリアルモードに従って符号化され、文字コードと、同一の文字の組のワードの間で伝送される表示属性とを含むことを特徴とする請求項３又は４記載の装置。
【請求項６】  メモリ空間（Ｂ１）の第２部分にあるデータを符号化する第２フォーマットにおいて、前記データが単純なパラレルモードに従って符号化され、各文字に対し文字コードと表示属性とを含むことを特徴とする請求項３又は４記載の装置。
【請求項７】  メモリ空間（Ｂ３）の第２部分にあるデータを符号化する第３フォーマットにおいて、前記データが拡張パラレルモードに従って符号化され、各文字に対し、
−文字コードと、
−メモリの第１領域（Ｚ１）に記憶された色パレットのアドレスを有する文字の色属性と、
−拡張表示属性とを有することを特徴とする請求項３又は４記載の装置。
【手続補正書】
【提出日】平成18年3月6日(2006.3.6)
【手続補正１】
【補正対象書類名】特許請求の範囲
【補正対象項目名】全文
【補正方法】変更
【補正の内容】
【特許請求の範囲】
【請求項１】
管理センタと、管理センタからの情報を発信するFM局と、検針員が携帯する検針員・本人発信装置と、検針ハンディターミナル（以下検針HT）とを有する検針情報漏洩を防止するセキュリティシステムにおいて、
（１）管理センタは、暗証番号入力部と暗証番号・作成更新部と暗証番号・発信部とからなるコンピュータシステムであり、上記検針員・本人発信装置及び上記検針HTのそれぞれの装置固有番号と暗証番号とを対にした情報を記録する暗証番号一覧ファイルを有し、
（２）FM局は、上記管理センタが保持する上記装置固有番号と暗証番号とを対にした情報を発信する手段を有し、
（３）検針員・本人発信装置は、上記FM局から発信された上記装置固有番号と暗証番号とを対にした情報を受信する受信部と、ICチップ書き込み制御回路と、メモリに暗証番号を記憶させる非接触型ICチップを実装したセキュリティー装置であって、定期にICチップに記憶された暗証番号を発信するセキュリティー装置とを有し、
（４）検針HTは、上記FM局から発信された上記装置固有IDと暗証番号を対にした情報を受信する受信部であって、自装置のIDが上記装置固有IDと合致した場合にのみ対となる暗証番号を受信する受信部と、受信した暗証番号を記憶するICリーダライタであって、上記検針員・本人発信装置の上記セキュリティー装置から発信される暗証番号情報の読み取りを行うICリーダライタと、暗証番号照合回路とを有し、
該暗証番号照合回路において、上記検針員HTと上記検針員・本人発信装置とが通信可能に近接しかつ上記検針員HTが上記検針員本人発信装置の本人認証を行う場合に、読み取った暗証番号情報と上記検針HTの暗証番号との照合を行い、照合した暗証番号が合致した場合に上記検針HTでの業務処理を動作させることを特徴とする検針情報漏洩を防止するセキュリティシステム。
【手続補正書】
【提出日】平成18年10月27日(2006.10.27)
【手続補正１】
【補正対象書類名】特許請求の範囲
【補正対象項目名】請求項２
【補正方法】変更
【補正の内容】
【請求項２】
前記環境情報は、前記印刷制御装置に搭載されたオペレーティングシステムの種類又はバージョンを示す情報であることを特徴とする請求項１に記載の印刷制御装置。
【手続補正２】
【補正対象書類名】特許請求の範囲
【補正対象項目名】請求項５
【補正方法】変更
【補正の内容】
【請求項５】
前記印刷機器に対し事前に設定した情報を記憶した事前設定記憶手段をさらに備え、前記送信手段は、前記事前設定記憶手段に記憶された情報が前記印刷機器の出荷時の設定情報と異なる場合に、前記設定情報を用いて出力させるべく、前記オーバレイ処理されたデータを送信することを特徴とする請求項４に記載の印刷制御装置。
【手続補正３】
【補正対象書類名】明細書
【補正対象項目名】００１７
【補正方法】変更
【補正の内容】
【００１７】
また、請求項２に記載の発明は、請求項１に記載の印刷制御装置において、前記環境情報は、前記印刷制御装置に搭載されたオペレーティングシステムの種類又はバージョンを示す情報であることを特徴とする。
【手続補正４】
【補正対象書類名】明細書
【補正対象項目名】００２０
【補正方法】変更
【補正の内容】
【００２０】
また、請求項５に記載の発明は、請求項４に記載の印刷制御装置において、前記印刷機器に対し事前に設定した情報を記憶した事前設定記憶手段をさらに備え、前記送信手段は、前記事前設定記憶手段に記憶された情報が前記印刷機器の出荷時の設定情報と異なる場合に、前記設定情報を用いて出力させるべく、前記オーバレイ処理されたデータを送信することを特徴とする。
【手続補正書】
【提出日】平成18年10月13日(2006.10.13)
【手続補正１】
【補正対象書類名】特許請求の範囲
【補正対象項目名】全文
【補正方法】変更
【補正の内容】
【特許請求の範囲】
【請求項１】
マグネット部とこのマグネット部が離れた際に信号を出力するリードスイッチ部とを有するマグネットセンサーと、このマグネットセンサーのリードスイッチ部よりの信号を受信すると警戒信号を出力する制御手段とを有する送信機と、この送信機からの警戒信号を受信して警報を発する受信機とを備える防犯装置であって、
前記送信機は、前記制御手段に接続される外部接点入力端子を備え、
前記制御手段は、前記外部接点入力端子に接続コードを介して接続される外部センサーよりの信号を受信した場合に、前記マグネットセンサーの動作状態に関係なく、警戒信号を出力する構成とされていることを特徴とする防犯装置。
【請求項２】
請求項１記載の防犯装置を用い、２つの窓ガラス部にて開閉される引き違い式の窓部の前記窓ガラス部の開放を検出する防犯システムであって、
前記外部センサーは、マグネット部とこのマグネット部が離れた際に信号を出力するリードスイッチ部とを有するマグネットセンサーであり、
請求項１記載の防犯装置のマグネットセンサー及び前記外部センサーのうち一方のセンサーが、前記２つの窓ガラス部のうち一方の窓ガラス部の開放を検出するものであり、他方のセンサーが、前記２つの窓ガラス部のうち他方の窓ガラス部の開放を検出するものであることを特徴とする防犯システム。
【請求項３】
前記外部センサーは、２つのマグネットセンサーで構成され、
１つのマグネットセンサーは、窓ガラス部の開放を検出するものであり、
もう１つのマグネットセンサーは、前記窓部に設けられた網戸の開放を検出するものである請求項２記載の防犯システム。
【請求項４】
請求項１記載の防犯装置を用い、窓ガラス部にて開閉される窓部と扉にて開閉される出入り口からの侵入を検出する防犯システムであって、
請求項１記載の防犯装置のマグネットセンサー及び外部センサーのうち一方のセンサーが、前記窓部の窓ガラス部の開放を検出するものであり、他方のセンサーが、前記出入り口の扉の開放を検出するものであることを特徴とする防犯システム。
【請求項５】
請求項１記載の防犯装置を用い、窓ガラス部にて開閉される窓部からの侵入を検出する防犯システムであって、
請求項１記載の防犯装置のマグネットセンサーが、前記窓部の窓ガラス部の開放を検出するものであり、
請求項１記載の防犯装置の外部センサーは、前記窓部の周辺を徘徊する不審者を検知する人体検知センサーであることを特徴とする防犯システム。
【手続補正２】
【補正対象書類名】明細書
【補正対象項目名】０００９
【補正方法】変更
【補正の内容】
【０００９】
請求項２の発明は、請求項１記載の防犯装置を用い、２つの窓ガラス部にて開閉される引き違い式の窓部の前記窓ガラス部の開放を検出する防犯システムであって、前記外部センサーは、マグネット部とこのマグネット部が離れた際に信号を出力するリードスイッチ部とを有するマグネットセンサーであり、請求項１記載の防犯装置のマグネットセンサー及び前記外部センサーのうち一方のセンサーが、前記２つの窓ガラス部のうち一方の窓ガラス部の開放を検出するものであり、他方のセンサーが、前記２つの窓ガラス部のうち他方の窓ガラス部の開放を検出するものであることを特徴とする。
【手続補正３】
【補正対象書類名】明細書
【補正対象項目名】００１１
【補正方法】変更
【補正の内容】
【００１１】
その場合、請求項３に記載のように、前記外部センサーは、２つのマグネットセンサーで構成され、１つのマグネットセンサーは、窓ガラス部の開放を検出するものであり、もう１つのマグネットセンサーは、前記窓部に設けられた網戸の開放を検出する構成とすることも可能である。
【手続補正４】
【補正対象書類名】明細書
【補正対象項目名】００２５
【補正方法】変更
【補正の内容】
【００２５】
また、筐体５内には、制御手段６に接続される外部接点入力端子１３が設けられている。この入力端子１３には、外部マグネットセンサー１１（外部センサー）が接続コード１２を介して電気的に接続可能である。外部マグネットセンサー１１も、マグネット部１１Ａと、このマグネット部１１Ａが離れた際に信号を出力するリードスイッチ部１１Ｂとを有する。そして、外部マグネットセンサー１１のリードスイッチ部１１Ｂからの信号も、接続コード１２を通じて、制御手段６に入力される構成となっている。
【手続補正書】
【提出日】平成18年10月16日(2006.10.16)
【手続補正１】
【補正対象書類名】特許請求の範囲
【補正対象項目名】全文
【補正方法】変更
【補正の内容】
【特許請求の範囲】
【請求項１】
ユーザの嗜好情報及び設定年齢に対応したコンテンツを抽出するための抽出条件を設定する工程と、
ユーザの設定年齢を更新する基準時に関する情報と、経時更新される時間情報に基づいて、ユーザの設定年齢を更新する工程と、
ユーザの嗜好情報と、前記更新された設定年齢とに対応して、コンテンツの抽出条件を再設定する工程と、
前記再設定された抽出条件に従って、複数のコンテンツからユーザの視聴対象となり得るコンテンツを抽出する工程と、
を含むコンテンツ抽出方法。
【請求項２】
前記抽出条件を再設定する工程において、前記ユーザの嗜好情報と、前記更新された設定年齢とに対応して、前記更新前には抽出されていた少なくとも１つのコンテンツを排除するように、コンテンツの抽出条件を再設定することを特徴とする請求項１に記載のコンテンツ抽出方法。
【請求項３】
前記抽出条件を再設定する工程において、前記ユーザの嗜好情報と、前記更新された設定年齢とに対応して、更新前には抽出対象ではなかった少なくとも１つのコンテンツを追加するように、コンテンツの抽出条件を再設定することを特徴とする請求項１又は２に記載のコンテンツ抽出方法。
【請求項４】
前記抽出条件を再設定する工程において、前記更新された設定年齢に対応して、排除すべきコンテンツの候補を選定し、前記ユーザの嗜好情報に対応して、前記候補の中から排除するコンテンツを決定することを特徴とする請求項１乃至３のいずれかに記載のコンテンツ抽出方法。
【請求項５】
前記排除すべきコンテンツの候補のうち前記ユーザの嗜好に合致しないコンテンツを排除することを特徴とする請求項４に記載のコンテンツ抽出方法。
【請求項６】
抽出された複数コンテンツの中から、各コンテンツに関連付けられたコンテンツ関連情報に基づいて、抽出されるコンテンツをさらに限定する工程を含むことを特徴とする請求
項１乃至５のいずれかに記載のコンテンツ抽出方法。
【請求項７】
請求項１乃至６のいずれかに記載のコンテンツ抽出方法に従って抽出されたコンテンツに係る情報の表示状態を、設定年齢の更新に応じて、更新可能とすることを特徴とするコンテンツ情報表示方法。
【請求項８】
請求項１乃至６に記載のコンテンツ抽出方法に従って抽出されたコンテンツに係る情報の視認性が、抽出されなかったコンテンツに係る情報の視認性より高い状態で、これらコンテンツに係る情報の表示を行うことを特徴とするコンテンツ情報表示方法。
【請求項９】
ユーザの設定年齢を更新する基準時に関する情報と、経時更新される時間情報に基づいて、ユーザの設定年齢を更新する加齢処理部と、
コンテンツに関連付けられたコンテンツ関連情報を保持するコンテンツ関連情報保持部と、
ユーザの操作履歴情報と、当該操作に対応するコンテンツ関連情報に基づいてユーザの嗜好情報を学習し、前記ユーザの嗜好情報に基づいてコンテンツの抽出条件を設定するユーザ嗜好情報学習部と、
前記ユーザ嗜好情報学習部により設定されたコンテンツの抽出条件を保持する抽出条件保持部と、
前記ユーザの嗜好情報と、前記更新された設定年齢とに対応して、前記抽出条件保持部に保持されたコンテンツの抽出条件を再設定する条件再設定部と、
前記再設定された抽出条件に従って、複数のコンテンツからユーザの視聴対象となり得るコンテンツを抽出するコンテンツ抽出部と、
を備えたコンテンツ抽出装置。
【請求項１０】
前記条件再設定部は、前記ユーザの嗜好情報と、前記更新された設定年齢とに対応して、前記更新前には抽出されていた少なくとも１つのコンテンツを排除するように、前記抽出条件保持部に保持されたコンテンツの抽出条件を再設定することを特徴とする請求項９に記載のコンテンツ抽出装置。
【請求項１１】
前記条件再設定部は、前記ユーザの嗜好情報と、前記更新された設定年齢とに対応して、更新前には抽出対象ではなかった少なくとも１つのコンテンツを追加するように、前記抽出条件保持部に保持されたコンテンツの抽出条件を再設定することを特徴とする請求項９又は１０に記載のコンテンツ抽出装置。
【請求項１２】
前記条件再設定部は、前記更新された設定年齢に対応して、排除すべきコンテンツの候補を選定し、前記ユーザの嗜好情報に対応して、前記候補の中から排除するコンテンツを決定することを特徴とする請求項９乃至１１のいずれかに記載のコンテンツ抽出装置。
【請求項１３】
前記排除すべきコンテンツの候補のうち前記ユーザの嗜好に合致しないコンテンツを排除することを特徴とする請求項１２に記載のコンテンツ抽出装置。
【請求項１４】
抽出された複数コンテンツの中から、各コンテンツに関連付けられたコンテンツ関連情報に基づいて、抽出されるコンテンツをさらに限定する絞り込み処理部をさらに備えた請求項９乃至１３のいずれかに記載のコンテンツ抽出装置。
【請求項１５】
請求項９乃至１４のいずれかに記載のコンテンツ抽出装置と、
前記コンテンツに係る情報を表示する表示部と、
抽出されたコンテンツに係る情報の表示状態を、設定年齢の更新に応じて、更新する表示状態変更部と、
を備えた表示装置。
【請求項１６】
請求項９乃至１４のいずれかに記載のコンテンツ抽出装置と、
前記コンテンツに係る情報を表示する表示部と、
抽出されたコンテンツに係る情報の視認性が、抽出されなかったコンテンツに係る情報の視認性より高い状態となるように、これらコンテンツに係る情報の表示方法を変更する表示状態変更部と、
を備えた表示装置。
【手続補正２】
【補正対象書類名】明細書
【補正対象項目名】００１１
【補正方法】変更
【補正の内容】
【００１１】
上記目的を達成するため、本願発明に係るコンテンツ抽出方法は、ユーザの嗜好情報及び設定年齢に対応したコンテンツを抽出するための抽出条件を設定する工程と、ユーザの設定年齢を更新する基準時に関する情報と、経時更新される時間情報に基づいて、ユーザの設定年齢を更新する工程と、ユーザの嗜好情報と、更新された設定年齢とに対応して、コンテンツの抽出条件を再設定する工程と、再設定された抽出条件に従って、複数のコンテンツからユーザの視聴対象となり得るコンテンツを抽出する工程とを含むことを特徴とする。
【手続補正３】
【補正対象書類名】明細書
【補正対象項目名】００２８
【補正方法】変更
【補正の内容】
【００２８】
ここで、メタデータ保持部１はRAM等の記憶装置によって構成され、ユーザ嗜好学習部
３、加齢処理部５、条件再設定部６、コンテンツ抽出部７はコンテンツ抽出方法の処理を実現するソフトウェアを実行するコンピュータ（CPU及びMPU）及びデータを記憶するためのRAM，ROM等の記憶装置によって構成される。このようなコンテンツ抽出装置は、例えば、チューナ、ハードディスクレコーダ等の映像記録装置、さらにディスプレイを備えた表示装置として構成することができるが、これらに限られない。
【手続補正書】
【提出日】平成18年10月26日(2006.10.26)
【手続補正１】
【補正対象書類名】特許請求の範囲
【補正対象項目名】全文
【補正方法】変更
【補正の内容】
【特許請求の範囲】
【請求項１】
画像データをメモリに格納するサーバ装置であって、
前記画像データの公開日時を設定する手段と、
前記画像データに加工処理を施して加工画像データを作成し、メモリに格納する手段と、
前記サーバ装置の時刻と前記公開日時とを比較する手段と、
前記比較の結果、前記サーバ装置の時刻が前記公開日時より前であれば、前記加工画像データを表示するためのページ情報を作成し、前記公開日時であれば、前記加工を行っていない画像データを表示するためのページ情報を作成する手段と、
ネットワークを介して、前記ページ情報を閲覧させるための情報を送信する手段とを備えたことを特徴とするサーバ装置。
【請求項２】
前記加工処理は複数の段階で行われることを特徴とし、
前記複数の段階のそれぞれにおける加工処理の程度を設定する手段を更に備えたことを特徴とする請求項１に記載のサーバ装置。
【請求項３】
前記加工処理の更新日時を設定する手段と、
前記サーバ装置の時刻と前記更新日時とが一致するかどうか判定する手段とを備え、
前記判定の結果、前記サーバ装置の時刻と更新日時とが一致すれば、前記加工処理を行い、該加工画像データを表示するためのページ情報を作成する手段が実行されることを特徴とする請求項１乃至２に記載のサーバ装置。
【請求項４】
前記加工画像データを表示するためのページ情報及び前記画像データを表示するためのページ情報には、同一の前記ネットワーク上でのアドレスが割り当てられることを特徴とする請求項１に記載のサーバ装置。
【請求項５】
前記加工処理は、少なくともモザイク加工及びエンボス加工及びワイプ加工のうち、いずれか１つであることを特徴とする請求項１に記載のサーバ装置。
【請求項６】
画像データをメモリに格納するサーバ装置の制御方法であって、
前記画像データの公開日時を設定する工程と、
前記画像データに加工処理を施して加工画像データを作成し、メモリに格納する工程と、
前記サーバ装置の時刻を取得し、前記設定した公開日時と比較する工程と、
前記比較の結果、前記サーバ装置の時刻が前記公開日時より前であれば、前記加工画像データを表示するためのページ情報を作成し、前記公開日時であれば、前記加工を行っていない画像データを表示するためのページ情報を作成する工程と、
ネットワークを介して、前記ページ情報を閲覧させるための情報を送信する工程とを備えたことを特徴とするサーバ装置の制御方法。
【請求項７】
コンピュータに、
メモリに格納した画像データの公開日時を設定する工程と、
前記画像データに加工処理を施して加工画像データを作成し、メモリに格納する工程と、
前記サーバ装置の時刻を取得し、前記設定した公開日時と比較する工程と、
前記比較の結果、前記サーバ装置の時刻が前記公開日時より前であれば、前記加工画像データを表示するためのページ情報を作成し、前記公開日時であれば、前記加工を行っていない画像データを表示するためのページ情報を作成する工程と、
ネットワークを介して、前記ページ情報を閲覧させるための情報を送信する工程とを実行させることを特徴とするプログラム。
【手続補正２】
【補正対象書類名】明細書
【補正対象項目名】発明の名称
【補正方法】変更
【補正の内容】
【発明の名称】サーバ装置、サーバ装置の制御方法、プログラム
【手続補正３】
【補正対象書類名】明細書
【補正対象項目名】０００１
【補正方法】変更
【補正の内容】
【０００１】
本発明は、画像データを格納し、ネットワーク上の装置に画像を表示させるためのページを作成するサーバ装置、その制御方法、プログラムに関するものである。
【手続補正４】
【補正対象書類名】明細書
【補正対象項目名】０００５
【補正方法】変更
【補正の内容】
【０００５】
上記課題を解決するために、本発明は、画像データをメモリに格納するサーバ装置であって、前記画像データの公開日時を設定する手段と、前記画像データに加工処理を施して加工画像データを作成し、メモリに格納する手段と、
前記サーバ装置の時刻と前記公開日時とを比較する手段と、前記比較の結果、前記サーバ装置の時刻が前記公開日時より前であれば、前記加工画像データを表示するためのページ情報を作成し、前記公開日時であれば、前記加工を行っていない画像データを表示するためのページ情報を作成する手段と、ネットワークを介して、前記ページ情報を閲覧させるための情報を送信する手段とを備えたことを特徴とするサーバ装置。
【手続補正５】
【補正対象書類名】図面
【補正対象項目名】図７
【補正方法】変更
【補正の内容】
【図７】
2005157415.tif 000001
【手続補正書】
【提出日】平成18年11月13日(2006.11.13)
【手続補正１】
【補正対象書類名】特許請求の範囲
【補正対象項目名】全文
【補正方法】変更
【補正の内容】
【特許請求の範囲】
【請求項１】
画像データを入力する入力手段と、
前記入力手段で入力された画像データに含まれる文字情報を順次認識する文字認識手段と、
前記入力手段で入力された画像データに含まれる文字情報を、ベクトルデータを用いてアウトライン化するアウトライン化手段と、
前記文字認識手段で認識された文字情報の文字種と前記アウトライン化手段でアウトライン化されたベクトルデータとを対応付けて管理する管理手段と、
前記文字認識手段で文字情報を認識する際、該文字情報の文字種が過去にアウトライン化されたものであるか否かを判別する判別手段と、
前記判別手段で過去にアウトライン化されたものであると判別された場合、該過去にアウトライン化された際のベクトルデータを用いて前記管理手段による管理を行うように制御する制御手段と
を備えることを特徴とする画像処理装置。
【請求項２】
前記入力手段は、原稿を読み取ることによって得た画像データを入力することを特徴とする請求項１に記載の画像処理装置。
【請求項３】
前記管理手段は、さらに文字の色に関する情報をベクトルデータと対応付けて管理し、
前記判別手段は、文字の色にかかわらず文字種が同一か否かに応じて判別を行うことを特徴とする請求項１又は２に記載の画像処理装置。
【請求項４】
前記管理手段は、さらに文字サイズに関する情報をベクトルデータと対応付けて管理し、
前記判別手段は、文字のサイズにかかわらず文字種が同一か否かに応じて判別を行うことを特徴とする請求項１から３までのいずれか１項に記載の画像処理装置。
【請求項５】
前記管理手段で管理されている情報を特定の文書作成ソフトウェアで取り扱い可能なフォーマットに変換する変換手段をさらに備えることを特徴とする請求項１から４までのいずれか１項に記載の画像処理装置。
【請求項６】
前記変換手段は、前記入力手段で入力した画像データを、その属性に応じて複数のオブジェクトに分割し、当該オブジェクト毎に独立して処理を行うことを特徴とする請求項５に記載の画像処理装置。
【請求項７】
前記変換手段は、前記複数に分割されたオブジェクト毎に、前記アウトライン化手段によるアウトライン化、線画オブジェクトのベクトルデータ化、画像オブジェクトの画像形式への変換の少なくともいずれかを施すことを特徴とする請求項６に記載の画像処理装置。
【請求項８】
文字情報の文字種とベクトルデータとを対応付けて記憶する記憶手段を備える画像処理装置が、入力された画像を処理する画像処理方法であって、
前記画像処理装置が、入力手段から入力された画像データに含まれる文字情報を順次認識する文字認識工程と、
前記画像処理装置が、前記文字認識工程で認識された文字情報の文字種が過去にアウトライン化されたことがあるか否かを判別する判別工程と、
前記画像処理装置が、前記判別工程で過去にアウトライン化されたことがない文字種であると判別された場合、当該文字種に対応する文字情報のアウトライン化処理を行ってベクトルデータを取得し、当該取得したベクトルデータと前記文字認識工程で認識された文字情報の文字種とを対応付けて前記記憶手段で管理する一方、前記判別工程で過去にアウトライン化されたことがある文字種であると判別された場合、当該文字種に対応する文字情報のアウトライン化処理を行わずに、当該過去にアウトライン化された際のベクトルデータを用いる管理工程と、
を備えることを特徴とする画像処理方法。
【請求項９】
コンピュータに、
画像データに含まれる文字情報を順次文字認識する文字認識手順と、
前記文字認識手順で文字認識された文字情報の文字種が過去にアウトライン化されたことがあるか否かを判別する判別手順と、
前記判別手順で過去にアウトライン化されたことがない文字種であると判別された場合、当該文字種に対応する文字情報のアウトライン化処理を行ってベクトルデータを取得し、当該取得したベクトルデータと前記文字認識手順で文字認識された文字情報の文字種とを対応付けて記憶手段で管理する一方、前記判別手順で過去にアウトライン化されたことがある文字種であると判別された場合、当該文字種に対応する文字情報のアウトライン化処理を行わずに、当該過去にアウトライン化された際のベクトルデータを用いる管理手順と、
を実行させるためのプログラム。
【手続補正書】
【提出日】平成18年11月7日(2006.11.7)
【手続補正１】
【補正対象書類名】特許請求の範囲
【補正対象項目名】請求項１
【補正方法】変更
【補正の内容】
【請求項１】
ネットワーク上で共有されるファイルに所定の属性を付与して管理するファイルサーバであって、
前記ファイルに対する所定の操作にて変更された変更属性を検出する属性変更検出手段と、
前記属性変更検出手段にて検出した前記変更属性をファイル毎の属性履歴情報に蓄積して管理する属性履歴管理手段と、
前記属性変更検出手段にて検出した変更属性を前記属性履歴情報内に保持するファイルを抽出して表示部に表示する関連ファイル抽出手段と、
前記関連ファイル抽出手段にて表示されたファイルのうち所望のファイルの属性を前記属性変更検出手段にて検出した前記変更属性にて選択的に変更し、該変更した属性を前記属性履歴管理手段により前記属性履歴情報に蓄積して管理する変更属性履歴管理手段と
を具備する
ことを特徴とするファイルサーバ。
【手続補正２】
【補正対象書類名】特許請求の範囲
【補正対象項目名】請求項３
【補正方法】変更
【補正の内容】
【請求項３】
ネットワーク上で共有されるファイルに所定の属性を付与して管理するファイルサーバのファイル属性管理方法であって、
属性変更検出手段により前記ファイルに対する所定の操作にて変更された変更属性を検出し、
前記属性変更検出手段にて検出した前記変更属性を属性履歴管理手段によりファイル毎の属性履歴情報に蓄積して管理し、
前記属性変更検出手段にて検出した変更属性を関連ファイル抽出手段により前記属性履歴情報内に保持するファイルを抽出して表示部に表示し、
前記関連ファイル抽出手段にて表示されたファイルのうち所望のファイルの属性を前記属性変更検出手段にて検出した前記変更属性にて選択的に変更し、該変更した属性を前記前記属性履歴情報に蓄積して管理する
ことを特徴とするファイル属性管理方法。
【手続補正３】
【補正対象書類名】特許請求の範囲
【補正対象項目名】請求項４
【補正方法】変更
【補正の内容】
【請求項４】
コンピュータを、
ファイルに対する所定の操作にて変更された変更属性を検出する属性変更検出手段と、前記属性変更検出手段にて検出した変更属性をファイル毎の属性履歴情報に蓄積して管理する属性履歴情報管理手段と、
前記属性変更検出手段にて検出した変更属性を前記属性履歴情報内に保持するファイルを抽出して表示部に表示する関連ファイル抽出手段と、
前記関連ファイル抽出手段にて表示されたファイルのうち所望のファイルの属性を前記属性変更検出手段にて検出した前記変更属性にて選択的に変更し、該変更した属性を前記属性履歴管理手段により前記属性履歴情報に蓄積して管理する変更属性管理手段
として機能させることを特徴とするファイル属性管理プログラム。
【手続補正４】
【補正対象書類名】明細書
【補正対象項目名】００１０
【補正方法】変更
【補正の内容】
【００１０】
上記目的を達成するために、請求項１の発明は、ネットワーク上で共有されるファイルに所定の属性を付与して管理するファイルサーバであって、ファイルに対する所定の操作にて変更された変更属性を検出する属性変更検出手段と、属性変更検出手段にて検出した変更属性をファイル毎の属性履歴情報に蓄積して管理する属性履歴管理手段と、属性変更検出手段にて検出した変更属性を属性履歴情報内に保持するファイルを抽出して表示部に表示する関連ファイル抽出手段と、関連ファイル抽出手段にて表示されたファイルのうち所望のファイルの属性を属性変更検出手段にて検出した変更属性にて選択的に変更し、該変更した属性を属性履歴管理手段により属性履歴情報に蓄積して管理する変更属性履歴管理手段とを具備することを特徴とする。
【手続補正５】
【補正対象書類名】明細書
【補正対象項目名】００１２
【補正方法】変更
【補正の内容】
【００１２】
また、請求項３の発明は、ネットワーク上で共有されるファイルに所定の属性を付与して管理するファイルサーバのファイル属性管理方法であって、属性変更検出手段によりファイルに対する所定の操作にて変更された変更属性を検出し、属性変更検出手段にて検出した変更属性を属性履歴管理手段によりファイル毎の属性履歴情報に蓄積して管理し、属性変更検出手段にて検出した変更属性を関連ファイル抽出手段により属性履歴情報内に保持するファイルを抽出して表示部に表示し、関連ファイル抽出手段にて表示されたファイルのうち所望のファイルの属性を属性変更検出手段にて検出した変更属性にて選択的に変更し、該変更した属性を属性履歴情報に蓄積して管理することを特徴とする。
【手続補正６】
【補正対象書類名】明細書
【補正対象項目名】００１３
【補正方法】変更
【補正の内容】
【００１３】
また、請求項４の発明は、コンピュータを、ファイルに対する所定の操作にて変更された変更属性を検出する属性変更検出手段と、属性変更検出手段にて検出した変更属性をファイル毎の属性履歴情報に蓄積して管理する属性履歴情報管理手段と、属性変更検出手段にて検出した変更属性を属性履歴情報内に保持するファイルを抽出して表示部に表示する関連ファイル抽出手段と、関連ファイル抽出手段にて表示されたファイルのうち所望のファイルの属性を属性変更検出手段にて検出した変更属性にて選択的に変更し、該変更した属性を属性履歴管理手段により属性履歴情報に蓄積して管理する変更属性管理手段として機能させることを特徴とする。
【手続補正書】
【提出日】平成18年3月22日(2006.3.22)
【手続補正１】
【補正対象書類名】特許請求の範囲
【補正対象項目名】全文
【補正方法】変更
【補正の内容】
【特許請求の範囲】
【請求項１】
光源と、
前記光源からの光が集光される標本の拡大像を出射する対物レンズと、
前記対物レンズを含む光路上に設けられ、前記対物レンズの前記標本上での焦点位置を前記対物レンズの光軸方向に光学的に可変制御する焦点位置制御手段と、
前記対物レンズを含む光路上の前記標本の中間像を結像する位置に挿脱可能に設けられ前記焦点位置制御手段を介して入射される光を反射する光反射手段と、
前記光反射手段で反射される光を検出し、該検出される光量に応じて前記焦点位置制御手段の状態を設定する設定手段とを具備したことを特徴とする光学顕微鏡。
【請求項２】
光源と、
前記光源からの光が集光される標本の拡大像を出射する対物レンズと、
前記前記光源からの光を前記標本上で２次元走査する光走査手段と、
前記対物レンズを含む光路上に設けられ、前記対物レンズの前記標本上での焦点位置を前記対物レンズの光軸方向に光学的に可変制御する焦点位置制御手段と、
前記対物レンズを含む光路上の前記標本の中間像を結像する位置に挿脱可能に設けられ前記焦点位置制御手段を介して入射される光を反射する光反射手段と、
前記光反射手段で反射される光を検出し、該検出される光量に応じて前記焦点位置制御手段の状態を設定する設定手段とを具備したことを特徴とする光学顕微鏡。
【請求項３】
前記設定手段は、前記光走査手段の動作によって前記光源からの光を前記光反射手段上で走査させ、前記光反射手段の複数点からの反射光を検出し、該検出される光量に応じて前記焦点位置制御手段の状態を設定することを特徴とする請求項２記載の光学顕微鏡。
【請求項４】
前記設定手段は、前記複数点からの反射光の光量が均一になるように前記焦点位置制御手段の状態を設定することを特徴とする請求項３記載の光学顕微鏡。
【請求項５】
光源と、
前記光源からの光が集光される標本の拡大像を出射する対物レンズと、
前記対物レンズを含む光路上に設けられ、前記対物レンズの前記標本上での焦点位置を前記対物レンズの光軸方向に光学的に可変制御する焦点位置制御手段と、
前記対物レンズを含む光路上の前記標本の中間像を結像する位置に挿脱可能に設けられ前記焦点位置制御手段を介して入射される光を反射する光反射手段と、
前記光反射手段で反射される光の波面を検出し、該検出される波面収差に応じて前記焦点位置制御手段の状態を設定する設定手段とを具備したことを特徴とする光学顕微鏡。
【請求項６】
前記焦点位置制御手段は、印加電圧に応じて反射面を変形する波面変調器からなり、前記設定手段は、前記光反射手段で反射される光を検出し、該検出信号に応じて前記波面変調器の印加電圧を制御することを特徴とする請求項１〜５に記載の光学顕微鏡。
【手続補正２】
【補正対象書類名】明細書
【補正対象項目名】００１１
【補正方法】変更
【補正の内容】
【００１１】
請求項３記載の発明は、請求項２記載の発明において、前記設定手段は、前記光走査手段の動作によって前記光源からの光を前記光反射手段上で走査させ、前記光反射手段の複数点からの反射光を検出し、該検出される光量に応じて前記焦点位置制御手段の状態を設定することを特徴としている。
請求項４記載の発明は、請求項３記載の発明において、前記設定手段は、前記複数点からの反射光の光量が均一になるように前記焦点位置制御手段の状態を設定することを特徴としている。
請求項５記載の発明は、光源と、前記光源からの光が集光される標本の拡大像を出射する対物レンズと、前記対物レンズを含む光路上に設けられ、前記対物レンズの前記標本上での焦点位置を前記対物レンズの光軸方向に光学的に可変制御する焦点位置制御手段と、前記対物レンズを含む光路上の前記標本の中間像を結像する位置に挿脱可能に設けられ前記焦点位置制御手段を介して入射される光を反射する光反射手段と、前記光反射手段で反射される光の波面を検出し、該検出される波面収差に応じて前記焦点位置制御手段の状態を設定する設定手段とを具備したことを特徴としている。
請求項６記載の発明は、請求項１〜５に記載の発明において、前記焦点位置制御手段は、印加電圧に応じて反射面を変形する波面変調器からなり、前記設定手段は、前記光反射手段で反射される光を検出し、該検出信号に応じて前記波面変調器の印加電圧を制御することを特徴としている。
【手続補正書】
【提出日】平成18年11月8日(2006.11.8)
【手続補正１】
【補正対象書類名】明細書
【補正対象項目名】００３３
【補正方法】変更
【補正の内容】
【００３３】
５２は転写材搬送ベルト装置、５３は転写材搬送ガイド、６は定着装置、９はプリンター本体１の上面の排出部（排紙トレイ）である。５４は定着装置６から排出部９へ至る排紙ガイド、５５〜５７はこの排紙ガイド５４に沿って配設した複数の排紙ローラーである。
【手続補正２】
【補正対象書類名】明細書
【補正対象項目名】００７５
【補正方法】変更
【補正の内容】
【００７５】
なお、煩雑をさけるために図には省略したけれども、各プロセスカートリッジ２（Ｙ・Ｍ・Ｃ・Ｋ）には感光ドラム２１の前面を隠蔽保護する開閉自在のドラムカバーを具備させてある。ドラムカバーは常時は閉じ状態に付勢されており、プロセスカートリッジ２を収納させたカートリッジ保持部材８が開閉ドア７の閉じ込み回動に連動して画像形成位置に復帰する少し前過程において開閉ドア７の閉じ込み操作に連動して開き動作される。
【手続補正３】
【補正対象書類名】明細書
【補正対象項目名】００８０
【補正方法】変更
【補正の内容】
【００８０】
このドラム駆動ギアユニット１０１は、プロセスカートリッジ２（Ｙ・Ｍ・Ｃ・Ｋ）のドラム軸端部に設けた、ねじれた三角柱のカップリングボス１００に対応したカップリング穴１０２ａとドラム駆動モーター１１０（図１５）と連結して回転を伝えるギアを有するドラム駆動ギア１０２と、ドラム駆動ギア１０２のスラスト方法への移動（カップリング連結、解除）を行うための斜面部を有するカップリングカム１０３と、カップリングカム１０３のカム形状に対応する斜面と回転を伝えるギア部とを有するカップリングギア１０４と、ドラム駆動ギア１０２を常にカップリング連結方向、すなわちカップリングカム１０３側へ付勢するためのカップリングばね１０５から構成されている。また、ドラム駆動ギア１０２およびカップリングカム１０３を回転自在に保持し、カップリングギア１０４をスラスト方向にガイドするためにガイド部材１０６が設けられている。また、ドラム駆動ギア１０２の反対側を回転自在に保持するためにもガイド部材１０７が設けられている。また、カップリングばね１０５を押さえるためのストッパ板金１０７がガイド部材１０６をふたするような形で取り付いている。
【手続補正書】
【提出日】平成18年6月30日(2006.6.30)
【手続補正１】
【補正対象書類名】特許請求の範囲
【補正対象項目名】全文
【補正方法】変更
【補正の内容】
【特許請求の範囲】
【請求項１】
ドットパターンを形成した紙面に記入欄を設けて作成された書類に、ペン先周辺のドットパターンを撮像するカメラを用いてペン先位置を検出する電子ペンを用いて手書きで記入された情報から前記ドットパターンを利用して作成したペン先の軌跡からなる位置情報として取得することで記入された情報を電子データとして処理する書類記入システムであって、
書類毎に修正禁止領域を定義してある修正禁止領域情報ファイルを記憶する記憶装置と、
該書類のドットパターンを用いて検出される書類を識別する書類ＩＤに基づいて該書類の修正禁止領域情報を該修正加筆禁止領域情報ファイルから取り出す処理装置と、
該書類の修正禁止領域情報に基づいた該書類の修正禁止領域に、前記ドットパターンを無効化する無効化パターンを印刷する印刷部とを、
含んで構成される電子ペンを利用した書類記入システム。
【請求項２】
前記処理装置は、上記書類に設けられた書類ＩＤを検出するための欄の記入情報を前記電子ペンより受信し、該記入情報より書類ＩＤを決定することを特徴とする請求項１記載の電子ペンを利用した書類記入システム。
【請求項３】
前記印刷部は、前記無効化パターンを印刷した時刻を前記処理装置に通知し、前記処理装置は前記無効化パターンの印刷が行われた書類と時刻とを対応付けて前記修正加筆禁止領域情報ファイルに記憶させることを特徴とする請求項１記載の電子ペンを利用した書類記入システム。
【請求項４】
前記処理装置は、前記印刷部で前記無効化パターンを印刷した後に前記電子ペンから通知された入力エラー情報に基づき、入力エラー時刻を記憶することを特徴とする請求項３記載の電子ペンを利用した書類記入システム。
【請求項５】
前記記憶装置は、印刷パターン種類と印刷色とを含む前記書類に対応する前記無効化パターンの印刷に用いる属性情報を含む属性情報ファイルを記憶し、
前記処理装置は、前記書類ＩＤに基づいて前記記憶装置から該書類に対応する前記無効化パターンの印刷に用いる属性情報を検索し、
前記印刷部は、前記検索された属性情報に基づいて前記無効化パターンの印刷を行うことを特徴とした請求項１記載の電子ペンを利用した書類記入システム。
【請求項６】
前記印刷部は、前記ドットパターンとは異なる色で前記無効化パターンを印刷することを特徴とする請求項１記載の電子ペンを利用した書類記入システム。
【請求項７】
前記印刷部は、前記無効化パターンを印刷する際に、前記無効化パターンを印刷する領域を強調する方式で印刷することを特徴とする請求項１記載の電子ペンを利用した書類記入システム。
【請求項８】
ドットパターンを形成した紙面に記入欄を設けて作成された書類に、ペン先周辺のドットパターンを撮像するカメラを用いてペン先位置を検出する電子ペンを用いて手書きで記入された情報から前記ドットパターンを利用して作成したペン先の軌跡からなる位置情報として取得することで記入された情報を電子データとして処理する書類記入システムにおける書類修正禁止方法であって、
前記書類の少なくとも一部を占める修正禁止領域に、前記ドットパターンを無効化する無効化パターンを印刷することを特徴とする書類修正禁止方法。
【請求項９】
前記書類記入システムは、前記書類と修正禁止領域とを対応させた修正禁止領域情報を記憶する記憶装置を有し、
該書類のドットパターンを用いて書類を識別する書類ＩＤを検出し、
該書類ＩＤに基づいて前記修正禁止領域情報を検索して該書類の前記修正禁止領域を決定することを特徴とする請求項８記載の書類修正禁止方法。
【請求項１０】
前記書類に設けられた書類ＩＤを検出するためのドットパターンが印刷された欄に前記電子ペンで記入することにより前記書類ＩＤを検出することを特徴とする請求項９記載の書類修正禁止方法。
【請求項１１】
前記書類に前記無効化パターンを印刷した時刻を検出し、該書類の書類ＩＤと該印刷時刻とを対応付けて記憶することを特徴とする請求項９記載の書類修正禁止方法。
【請求項１２】
前記無効化パターンの印刷時刻後に前記電子ペンから入力エラー情報の通知を受けた場合に、該入力エラーの時刻を前記書類ＩＤと対応付けて記憶することを特徴とする請求項１１記載の書類修正禁止方法。
【請求項１３】
前記記憶装置に、前記書類ＩＤと対応させて、印刷パターン種類と印刷色とを含む前記無効化パターンの印刷に用いる属性情報を記憶し、
該属性情報を参照し、前記書類ＩＤに応じて前記無効化パターンを印刷することを特徴とする請求項９記載の書類修正禁止方法。
【請求項１４】
前記ドットパターンとは異なる色で前記無効化パターンを印刷することを特徴とする請求項８記載の書類修正禁止方法。
【請求項１５】
前記無効化パターンを印刷する際に、前記無効化パターンを印刷する領域を強調する方式で印刷することを特徴とする請求項８記載の書類修正禁止方法。
【請求項１６】
書類ごとの修正禁止領域情報を保持する修正禁止領域情報ファイルを記憶する記憶装置と、処理装置と、印刷部とを有し、ドットパターンを形成した紙面に記入欄を設けて作成された書類に、ペン先周辺のドットパターンを撮像するカメラを用いてペン先位置を検出する電子ペンを用いて手書きで記入された情報から前記ドットパターンを利用して作成したペン先の軌跡からなる位置情報として取得することで記入された情報を電子データとして処理する書類記入システムにおいて、
前記処理装置により、前記書類のドットパターンを用いて検出される書類を識別する書類ＩＤに基づいて、該書類の修正禁止領域情報を検索する第１のステップと、
前記印刷部により、前記検索された該書類の修正禁止領域情報により特定される修正禁止領域に、前記ドットパターンを無効化する無効化パターンを印刷する第２のステップとを実行させることを特徴とする書類修正禁止プログラム。
【請求項１７】
前記第１のステップは、上記書類に設けられた書類ＩＤを検出するためのドットパターンが印刷された欄の前記電子ペンでの記入により前記書類ＩＤを検出する第３のステップを有することを特徴とする請求項１６記載の書類修正禁止プログラム。
【請求項１８】
前記第２のステップは、前記無効化パターンを印刷した時刻を、前記書類ＩＤと対応させて記録する第４のステップを含むことを特徴とする請求項１６記載の書類修正禁止プログラム。
【請求項１９】
前記無効化パターンの印刷時刻後に前記電子ペンから入力エラー情報の通知を受けた場合に、該入力エラーの時刻を前記書類ＩＤと対応付けて記憶する第５のステップを含むことを特徴とする請求項１８記載の書類修正禁止プログラム。
【請求項２０】
前記記憶装置は、前記書類ＩＤと対応させて、印刷パターン種類と印刷色とを含む前記無効化パターンの印刷に用いる属性情報を記憶し、
前記第１のステップは、前記書類ＩＤに対応する属性情報を検索し、
前記第２のステップにおいて、該検索された属性情報に応じた前記無効化パターンを印刷することを特徴とする請求項１６記載の書類修正禁止プログラム。